(57)【要約】【課題】エネルギー効率が高く、且つ輝度むらの少ない直下型バックライト装置を提供する。【解決手段】互いに平行に配置された複数本の線状光源と、これらの線状光源からの光を反射する反射板と、前記線状光源からの直射光および前記反射板からの反射光を光入射面から入射し、光出射面から拡散照射する光拡散板とを備える直下型バックライト装置であって、前記線状光源の側方に配置された導光板をさらに備え、前記導光板は、前記線状光源の中心線と、前記光拡散板の光入射面上における、隣接する前記線状光源の中間線に対応する線とにより規定される面より前記光拡散板から遠い領域内に位置する直下型バックライト装置。【選択図】      図３
2010027454.tif 000002
【特許請求の範囲】
【請求項１】
互いに平行に配置された複数本の線状光源と、これらの線状光源からの光を反射する反射板と、前記線状光源からの直射光および前記反射板からの反射光を光入射面から入射し、光出射面から拡散照射する光拡散板とを備える直下型バックライト装置であって、
前記線状光源の側方に配置された導光板をさらに備え、
前記導光板は、前記線状光源の中心線と、前記光拡散板の光入射面上における、隣接する前記線状光源の中間線に対応する線とにより規定される面より前記光拡散板から遠い領域内に位置する直下型バックライト装置。
【請求項２】
請求項１に記載の直下型バックライト装置であって、
前記光拡散板の光入射側または光出射側に、正面再帰性を有するシートをさらに備える直下型バックライト装置。
【請求項３】
請求項１又は２に記載の直下型バックライト装置であって、
各線状光源に対応する前記導光板をそれぞれ備え、
これらの複数の導光板のうちの少なくとも２つが、連結部材を介し接続されている直下型バックライト装置。
【請求項４】
請求項１〜３のいずれか１項に記載の直下型バックライト装置であって、
前記導光板が、前記反射板に接して設けられる直下型バックライト装置。
【発明の詳細な説明】
【技術分野】
【０００１】
本発明は、直下型バックライト装置に関する。
【背景技術】
【０００２】
従来、液晶表示装置用のバックライト装置としては、例えば、反射板と、平行に配置された複数本の線状光源と、これらの線状光源からの直射光および反射板での反射光を光入射面から入射し光出射面から出射して発光面となる光拡散板とをこの順に備える直下型バックライト装置が広く用いられている。
【０００３】
このような直下型バックライト装置の発光面では、高い輝度を容易に得られる一方、発光面上の線状光源の直上部分の輝度が高く、この直上部分から離れ、隣接する線状光源の中間位置の直上部分に近づくにつれて輝度が低くなる傾向にあり、面上において周期的な輝度むらが生じることがある。
【０００４】
このような輝度むらを低減する方法として、直下型バックライト装置においては、線状光源を、なるべく多く密に並行に配置することにより、周期的な輝度むらの程度を低くすることが考えられる。しかしながら、このように配置された線状光源の数が多数に及ぶと、バックライト装置のエネルギー効率が著しく下がってしまう。
【０００５】
光源の本数を増やすことなく輝度むらを低減する方法としては、直下型バックライト装置において、光源の上に導光板を設けることが提案されている(例えば特許文献１参照)が、輝度むらの低減は依然として不十分である。また、嵩高い導光板をバックライト装置中に設けると、装置の重量が増し好ましくない。
【０００６】
【特許文献１】特開２００６−２８６２１７号公報
【発明の開示】
【発明が解決しようとする課題】
【０００７】
従って、本発明の目的は、エネルギー効率が高く、且つ輝度むらの少ない直下型バックライト装置を提供することにある。
【課題を解決するための手段】
【０００８】
本発明者らは、上記課題を解決するために鋭意研究を進めたところ、バックライト装置中の所定の位置に所定の形状の導光板を設けることにより、輝度むらを低減しうることを見いだし、この知見に基づいて本発明を完成させるに至った。
したがって、本発明によれば、下記〔１〕〜〔４〕が提供される。
【０００９】
〔１〕  互いに平行に配置された複数本の線状光源と、これらの線状光源からの光を反射する反射板と、前記線状光源からの直射光および前記反射板からの反射光を光入射面から入射し、光出射面から拡散照射する光拡散板とを備える直下型バックライト装置であって、
前記線状光源の側方に配置された導光板をさらに備え、
前記導光板は、前記線状光源の中心線と、前記光拡散板の光入射面上における、隣接する前記線状光源の中間線に対応する線とにより規定される面より前記光拡散板から遠い領域内に位置する直下型バックライト装置。
〔２〕  正面再帰性を有するシートをさらに有する前記直下型バックライト装置。
〔３〕  前記導光板が、連結部材を介し接続されている前記直下型バックライト装置。
〔４〕  前記導光板が、前記反射板に接して設けられる前記直下型バックライト装置。
【発明の効果】
【００１０】
上記〔１〕に記載の直下型バックライト装置は、少ない光源数でも周期的な輝度むらを低減することができ、エネルギー効率が高くかつ輝度むらが少ないバックライト装置として有用である。
上記〔２〕に記載の直下型バックライト装置は、輝度及び輝度均斉度をさらに向上させることができる。
上記〔３〕に記載の直下型バックライト装置は、導光板の設置が容易であり、容易に製造しうるバックライト装置とすることができる。
上記〔４〕に記載の直下型バックライト装置は、導光板の設置が容易であり、且つ、光源から下向きに出光した光をより多く導くことができ、輝度及び輝度均斉度をさらに向上させることができる。
【発明を実施するための最良の形態】
【００１１】
以下に、本発明の実施形態について、図面を参照して説明する。
【００１２】
本発明の直下型バックライト装置は、互いに平行に配置された複数本の線状光源と、これらの線状光源からの光を反射する反射板と、前記線状光源からの直射光および前記反射板からの反射光を光入射面から入射し、光出射面から拡散照射する光拡散板とを備える。
【００１３】
図１は、本発明の第１の実施形態に係る直下型バックライト装置の概略を示す斜視図であり、図２は、第１の実施形態に係る直下型バックライト装置を、線状光源１０３の延長方向に垂直な面で切断した断面の一部を示す部分縦断面図である。本実施形態の直下型バックライト装置は、互いに略平行に配置された複数本の線状光源１０３と、これらの線状光源１０３からの光を反射する反射板１０２と、線状光源１０３からの直射光および反射板１０２からの反射光を拡散照射する光拡散板１０１とを備える。さらに、本実施形態の装置は、任意の構成要素として、光拡散板のさらに上側（光出射側）に、正面再帰性を有するシートであるプリズムシート１０５（図１において不図示）を備えている。
【００１４】
なお、本願においては、別に断らない限り、方向の説明における「上」及び「下」方向とは、直下型バックライト装置を、その光出射面が水平に上側となるよう載置した状態における「上」及び「下」方向を意味し、図１〜図６の図面における上方向及び下方向と一致する。したがって、本願においては、別に断らない限り「水平」方向は、かかる上下方向に垂直ないずれかの方向を意味する。また本願において、線及び面が平行であるとは、特に断らない限り、誤差なく平行である場合に加えて、本発明の効果を損ねない範囲、例えば±１０°以内、好ましくは±５°の角をなす場合を含む。
【００１５】
（導光板）
本発明において、直下型バックライト装置は、前記線状光源、反射板及び光拡散板に加え、線状光源の側方に、所定形状の導光板をさらに備える。本発明において、導光板を線状光源の「側方」に備えるとは、装置を光出射面の法線方向から見た際に、線状光源から、線状光源の長手方向に垂直な方向に離隔した位置に導光板が位置することをいう。図１及び図２に示す第１実施形態では、導光板１０４は、反射板１０２に接して、複数の線状光源１０３のそれぞれの両側方に配置されている。なお、前記導光板は、各線状光源の両側方に配置せずに、例えば、一方の側方のみに配置する構成としてもよいし、また、ある線状光源についてはその両側方に導光板を配置し、残りの線状光源については一方の側方のみに導光板を配置する構成としてもよい。
【００１６】
本発明において、導光板は、所定の面（以下において、この面を境界面（Ｘ）と称する。）より、光拡散板から遠い領域内に位置する。境界面（Ｘ）は、
（Ｘ−１）線状光源の中心線と、
（Ｘ−２）光拡散板の光入射面上における、隣接する線状光源の中間線に対応する線と
により規定される面である。
ここで、隣接する線状光源の中間線とは、線（Ｘ−１）を中心線として有する線状光源の中心線、及びかかる線状光源に隣接する線状光源の中心線の双方から等距離な線である。そして、光入射面上における、かかる中間線に「対応」する線とは、中間線を、光入射面に垂直な方向から光入射面に投影した線である。さらに、これらの線（Ｘ−１）及び（Ｘ−２）により規定される面とは、線（Ｘ−１）〜（Ｘ−２）間の距離を幅とし、幅方向の一方の端部が線（Ｘ−１）で、他方の端部が線（Ｘ−２）である平面である。
【００１７】
境界面（Ｘ）の配置を図２及び図３を参照して説明する。境界面（Ｘ）を規定する線（Ｘ−１）は、図２においては、線状光源１０３の中心線１０３Ｃ（図２の表示面に垂直な方向の面であるため、線１０３Ｃは図２中では点で表される）となる。図２において隣接する線状光源間の距離は矢印２１１で示される距離であり、数字２１２が付された破線は、矢印２１１を垂直に２等分する位置にあり且つ光入射面１０１Ａに垂直な面２１２を表す（面２１２は図２中では線で表される）。
【００１８】
図３は、図２における１本の線状光源１０３及びその側方の一対の面２１２を含む領域を拡大して示す部分縦断面図である。図３においては、説明の便宜上、図面に向かって線状光源１０３より左側の領域の部材にはＬの符号を、右側の領域の部材にはＲの符号を付する。面２１２Ｌと光入射面１０１Ａとは線２１２ＰＬ（線２１２ＰＬ、２１２ＰＲは図３中では点で表される）で交わり、面２１２Ｒと光入射面１０１Ａとは線２１２ＰＲで交わる。これらの線２１２ＰＬ及び２１２ＰＲが、境界面（Ｘ）を規定する線（Ｘ−２）となる。したがって、線１０３Ｃ及び線２１２ＰＬの両方により規定される面２１３Ｌ、及び線１０３Ｃ及び線２１２ＰＲの両方により規定される面２１３Ｒが、境界面（Ｘ）となる。
【００１９】
したがって、導光板１０４Ｌが面２１３Ｌより下側にあり、導光板１０４Ｒが面２１３Ｒより下側にある場合、これらの導光板はそれぞれ、境界面（Ｘ）より光拡散板から遠い領域内に位置する。例えば、導光板１０４Ｌ及び１０４Ｒが、図３における、面２１３Ｌと交差する点線１０４ＭＬ及び面２１３Ｒと交差する線１０４ＭＲで示す位置までの高さを有する場合、導光板が境界面（Ｘ）より光拡散板から遠い領域内に位置するという要件を充足しないことになる。なお、導光板が当該要件を満たすか否かは、導光板とその直上の境界面（Ｘ）との関係によるものであり、例えば面２１３Ｌと導光板１０４Ｒとの関係にはよらない。
【００２０】
導光板は、反射板と境界面（Ｘ）との間の任意の場所に位置することができ、反射板に接して設けられてもよく反射板から離隔して設けられてもよいが、設置の容易さ、及び光源から下向きに出光した光をより多く導く観点から、反射板に接して設けられることが好ましい。
【００２１】
本発明において、導光板の形状は、図１〜図３に示す例の如く、線状光源に沿って延長する直方体の形状であることが好ましい。図３に示す導光板１０４Ｌは、線状光源側の面１０４ＮＬ、線状光源と反対側の面１０４ＦＬ、上側の面１０４ＵＬ、及び下側の面１０４ＤＬを含む複数の面で規定される直方体である。また、導光板１０４Ｒは、線状光源側の面１０４ＮＲ、線状光源と反対側の面１０４ＦＲ、上側の面１０４ＵＲ、及び下側の面１０４ＤＲを含む複数の面で規定される直方体である。導光板の表面を構成するこれらの面は、それぞれ平滑な面であってもよく、凹凸パターンが形成された面であってもよい。
【００２２】
図３において、線状光源の中心線１０３Ｃから、導光板における線状光源と反対側の面１０４ＦＬ及び１０４ＦＲまでの水平方向の距離は、２１６Ｌ及び２１６Ｒで示され、線状光源の中心線１０３Ｃから、隣接する線状光源の中間線までの水平方向の距離は、２１５Ｌ及び２１５Ｒで示される。距離２１５Ｌに対する距離２１６Ｌの比及び距離２１５Ｒに対する距離２１６Ｒの比は、２０〜８０％であることが、線状光源間の輝度を上昇させ輝度むらを低減させることができるため好ましい。
【００２３】
線状光源の中心線１０３Ｃと、線状光源側の面１０４ＮＬ及び１０４ＮＲとの水平方向距離（図３中矢印２１７Ｌ及び２１７Ｒで示される距離）は、線状光源の半径より大きい任意の距離とすることができるが、線状光源の直径の２倍以下であることが好ましい。
【００２４】
図３中において矢印１０４Ｈで示される導光板の厚さは、光源から下向きに出光した光をより多く導く観点から、線状光源の直径の１／１０以上であることが好ましい。導光板の厚さの上限は、特に限定されず、本発明の要件を満たしうる任意の厚さとすることができるが、線状光源の直径の２倍以下であることが好ましい。
【００２５】
導光板の形状の他の好ましい例として、上に述べた１対の直方体の形状が、連結部材を介して連結した形状を挙げることができる。具体的には例えば、図５に示すように、１対の直方体の形状５０４Ａ及び５０４Ｂが、その長さ方向の全域にわたり、連結部材５０４Ｒを介して連結した形状とすることができる。または例えば、図６に示すように１対の直方体の形状６０４Ａ及び６０４Ｂが、その長さ方向の一部において、連結部材６０４Ｒを介して連結した形状とすることができる。導光板をこのような連結した形状とし、さらに連結部材５０４Ｒ、６０４Ｒのような連結部材が線状光源の下に位置するよう装置を構成することで、導光板の設置を容易にすることができる。さらには、複数対の直方体の形状を、連結部材６０４Ｒのような連結部材を介して連結することにより、導光板の設置をさらに容易にすることもできる。なお、各線状光源に対応する両側方の導光板（前述の１対の導光板）同士を前記連結部材を介して連結する場合に限らず、例えば、ある線状光源に対応する導光板と、この線状光源に隣接する線状光源に対応する導光板とを連結部材を介して連結する構成としてもよい。また、連結する導光板の数は、上述した２つには限定されず、例えば、３つや４つ、配置するすべての導光板の数としてもよい。
【００２６】
装置の使用に際して、線状光源１０３から出射した光の一部は面１０４ＮＬを通じて導光板１０４Ｌに入射する。入射した光の大部分は面１０４ＦＬから出射し、残りは面１０４ＵＬ等の他の面から出射する。また、同様に、線状光源１０３から出射した光の一部は面１０４ＮＲを通じて導光板１０４Ｒに入射する。入射した光の大部分は面１０４ＦＲから出射し、残りは面１０４ＵＲ等の他の面から出射する。このように、線状光源１０３から離れた位置へ多くの光を誘導し、且つ線状光源１０３から近い位置から遠い位置にかけての様々な位置へも光を誘導することにより、線状光源の本数が少なくても輝度むらの少ないバックライト装置とすることが可能になる。また、導光板の位置が境界面（Ｘ）より下側となることにより、線状光源１０３から光入射面１０１Ａに直接到達する光の進行を妨げることがないので、輝度の向上と輝度むらの低減とを両立することができる。さらに、このように反射板と光拡散板との間の空隙の一部のみを占めるこのような導光板を用いることにより、バックライト装置全体の重量を低減することができる。
【００２７】
導光板の材質は、特に限定されず、後述する拡散板の材質と同様のものとすることができる。
【００２８】
（線状光源）
本発明において、線状光源は、冷陰極管、熱陰極管等の光源とすることができる。光源の直径は１〜３０ｍｍとすることができる。
【００２９】
線状光源の形状としては、直線状に加えて、平行な２本の管が一つの略半円でつながれ一本になったＵ字状、平行な３本の管が二つの略半円でつながれ一本になったＮ字状、および平行な４本の管が三つの略半円でつながれ一本になったＷ字状を挙げることができる。かかるＵ字状、Ｎ字状、Ｗ字状の線状光源の場合、これらを構成する複数の平行な管のそれぞれの側方に、上で述べた導光板を設けることができる。
【００３０】
隣接する線状光源の中心間の距離は、５ｍｍ〜１５０ｍｍであることが好ましく、１５ｍｍ〜１００ｍｍであることがより好ましい。前記距離を上記範囲とすることにより、直下型バックライト装置の消費電力を低減できるとともに、装置発光面の輝度むらを抑えることができる。
【００３１】
線状光源の本数は、特に限定されない。例えば、本発明の直下型バックライト装置を３２インチの液晶表示装置に用いる場合には、線状光源の数としては、例えば、１２本、８本、４本、２本等の偶数本や、奇数本とすることができる。
【００３２】
（反射板）
反射板１０３の材質としては、白色または銀色に着色された樹脂、および金属等を用いることができ、軽量化の観点から樹脂が好ましい。また、反射板１０３の色は、輝度均斉度を向上できる観点から白色であることが好ましいが、輝度と輝度均斉度を高度にバランスさせるため、白色と銀色とを混合してもよい。反射板の表面は、輝度均斉度の向上の観点から、完全散乱面に近い反射をする面であることが好ましい。
【００３３】
（光拡散板）
光拡散板を構成する材質としては、ガラス、混合しにくい２種以上の樹脂の混合物、透明樹脂に光拡散剤を分散させたもの、および１種類の透明樹脂等を用いることができる。これらの中で、軽量であること、成形が容易であることから樹脂が好ましく、輝度向上が容易である点からは１種類の透明樹脂が好ましく、全光線透過率とヘーズの調整が容易である点からは透明樹脂に光拡散剤を分散させたものが好ましい。
【００３４】
前記透明樹脂とは、ＪＩＳ  Ｋ７３６１−１に基づいて、両面平滑な２ｍｍ厚の板で測定した全光線透過率が７０％以上の樹脂のことであり、例えば、ポリエチレン、プロピレン−エチレン共重合体、ポリプロピレン、ポリスチレン、芳香族ビニル単量体と低級アルキル基を有する（メタ）アクリル酸アルキルエステルとの共重合体、ポリエチレンテレフタレート、テレフタル酸−エチレングリコール−シクロヘキサンジメタノール共重合体、ポリカーボネート、アクリル樹脂、および脂環式構造を有する樹脂などを挙げることができる。なお、（メタ）アクリル酸とは、アクリル酸およびメタクリル酸のことである。
【００３５】
これらの中でも、透明樹脂としては、ポリカーボネート、ポリスチレン、芳香族ビニル単量体を１０％以上含有する芳香族ビニル系単量体と低級アルキル基を有する（メタ）アクリル酸アルキルエステルとの共重合体、および脂環式構造を有する樹脂等の吸水率が０．２５％以下である樹脂が、吸湿による変形が少ないので、反りの少ない大型の光拡散板を得ることができる点で好ましい。
【００３６】
脂環式構造を有する樹脂は、流動性が良好であり、大型の光拡散板を効率よく製造できる点でより好ましい。脂環式構造を有する樹脂と光拡散剤の混合物は、光拡散板に必要な高透過性と高拡散性とを兼ね備え、色度が良好なので、好適に用いることができる。
【００３７】
前記光拡散剤は、光線を拡散させる性質を有する粒子であり、無機フィラーと有機フィラーとに大別できる。無機フィラーとしては、シリカ、水酸化アルミニウム、酸化アルミニウム、酸化チタン、酸化亜鉛、硫酸バリウム、マグネシウムシリケート、およびこれらの混合物を挙げることができる。有機フィラーとしては、アクリル樹脂、ポリウレタン、ポリ塩化ビニル、ポリスチレン樹脂、ポリアクリロニトリル、ポリアミド、ポリシロキサン樹脂、メラミン樹脂、およびベンゾグアナミン樹脂等を挙げることができる。これらの中でも、有機フィラーとしては、ポリスチレン樹脂、ポリシロキサン樹脂、およびこれらの架橋物からなる微粒子が、高分散性、高耐熱性、成形時の着色（黄変）がない点で好ましく、これらの中でも、より耐熱性に優れる点でポリシロキサン樹脂の架橋物からなる微粒子がより好ましい。
【００３８】
透明樹脂に分散させる光拡散剤の割合は、光拡散板の厚みや、線状光源の間隔などに応じて適宜選択できるが、通常は、分散物の全光線透過率が６０％〜９８％となるように光拡散剤の含有量を調整することが好ましく、６５％〜９５％となるように光拡散剤の含有量を調整することがより好ましい。全光線透過率を上記好適な範囲とすることにより、輝度および輝度均斉度をより向上させることができる。
【００３９】
なお、全光線透過率とは、ＪＩＳ  Ｋ７３６１-１に基づいて、両面平滑な２ｍｍ厚みの板で測定した値であり、ヘーズとはＪＩＳ  Ｋ７１３６により両面平滑な２ｍｍ厚みの板で測定した値である。
【００４０】
光拡散板の厚みは、０．４ｍｍ〜５ｍｍであることが好ましく、０．８ｍｍ〜４ｍｍであることがより好ましい。光拡散板の厚みを上記好適な範囲とすることにより、自重による撓みを抑えることができるとともに、成形の容易化を図ることができる。
【００４１】
光拡散板は、その光入射面及び／又は光出射面に、凹凸構造が形成されていることが好ましい。かかる凹凸構造としては、線状のプリズムまたはレンチキュラーレンズが、面上に平行に多数設けられてなる凹凸構造を好ましく挙げることができる。図１〜図３に示す実施形態においては、光拡散板は、その光入射面１０１Ａは平滑な面であり、一方光出射面１０１Ｂは、断面半円形状のレンチキュラーレンズが平行に多数設けられている。本発明において、前記凹凸構造の好ましい高さは、光拡散板の光入射面又は光出射面上において、様々な方向に沿って測定した中心線平均粗さＲａのうちの最大値をＲａ（ｍａｘ）として、Ｒａ（ｍａｘ）が１μｍ〜１，０００μｍとしうる。なお、前記凹凸構造としては、断面が多角形状（三角形や五角形）である前記線状のプリズムが平行に複数並んだ構成を用いることができる。光入射面に形成する凹凸構造と、光出射面に形成する凹凸構造は、同じでもよいし、異なっていてもよい。
【００４２】
線状のプリズムまたはレンチキュラーレンズは、その長手方向が、線状光源の長手方向と平行であることが、輝度均斉度を高める観点から好ましい。
【００４３】
光拡散板面がレンチキュラーレンズを有する場合の、レンチキュラーレンズのピッチ（図４における長さ４２２）の好ましい範囲は、５〜５００μｍである。また、レンチキュラーレンズの長手方向に垂直な断面における半円形状の好ましい半径（図４における長さ４２３）は、２．５〜５００μｍである。なお、光拡散板面が線状のプリズムを有する場合にも、線状プリズムのピッチは前記レンチキュラーレンズと同範囲とすることが好ましい。
【００４４】
（正面再帰性を有するシート）
本発明の直下型バックライト装置には、任意に、正面再帰性を有するシートを設けうる。正面再帰性を有するシートとは、その入射面から入射した光のうち、面の法線方向から所定角度以下の傾きの光を反射し再帰させるシートであり、その具体例としては、断面二等辺三角形状の線状プリズムを複数有してなるプリズム形状を、一方の主面に有するプリズムシートを挙げることができる。かかる正面再帰性を有するシートを設ける位置は、光拡散板の、光出射面側、光入射面側などとすることができるが、特に光出射面側とすることが好ましい。また、プリズムシートを設ける場合その面上のプリズムの長手方向が、線状光源の長手方向と平行であることが、輝度均斉度を高める観点から好ましい。特に、光拡散板の表面にレンチキュラーレンズを設けた場合には、輝度均斉度を向上できる観点から、プリズムシート等の正面再帰性を有するシートを併用することが好ましい。
【００４５】
（その他の任意の構成要素）
本発明の直下型バックライト装置は、前記実施形態に限定されず、本願特許請求の範囲内及びその均等の範囲内での変更を施すことができる。また、他の任意の構成要素をさらに含むことができる。例えば、前記各実施形態に係る直下型バックライト装置において、さらに輝度および輝度均斉度を向上させるための光学部材を適宜配置してもよい。このような光学部材としては、例えば拡散シートを挙げることができ、拡散シートは、前記正面再帰性を有するシートに代えて又は前記正面再帰性を有するシートと重ねて設けることができる。これらの光学部材は、例えば、光拡散板に光出射面側に設けることができる。また、バックライト装置を構成するための筐体、通電装置等を適宜備えることができる。また、本発明の直下型バックライト装置は、液晶表示装置の画面内の明るさに応じて、光源の点灯と消灯を制御する方式にも、好適に用いることができる。
【００４６】
本発明の直下型バックライト装置は、各種の液晶表示装置の構成要素として用いることができる。かかる液晶表示装置としては、例えばツイステッドネマチック（ＴＮ）モード、スーパーツイステッドネマチック（ＳＴＮ）モード、ハイブリッドアラインメントネマチック（ＨＡＮ）モード、バーティカルアラインメント（ＶＡ）モード、マルチドメインバーティカルアラインメント（ＭＶＡ）モード、インプレーンスイッチング（ＩＰＳ）モード、オプティカリーコンペンセイテッドバイリフジエンス(ＯＣＢ)モードなどの表示モードの装置を挙げることができる。
【実施例】
【００４７】
以下、本発明を実施例を参照してより詳細に説明するが、本発明はこれらに限定されない。
【００４８】
＜実施例１＞
図３に示す導光板、光源、反射板、拡散板およびプリズムシートを有する直下型バックライト装置について、各部の仕様を以下のように設定し、所定のプログラム（LightTools,Optical Research Associates社）を用いて計算を行い、光束発散度の分布を算出した。
導光板１０４Ｌ及び１０４Ｒ、拡散板１０１、並びにプリズムシート１０５はいずれも、屈折率１．５３の、透明な材質とした。
反射板１０２は、表面反射率１００％の完全散乱面とした。
反射板１０２から拡散板１０１の光入射面までの距離は７．５ｍｍとした。
光源１０３は、直径３ｍｍとし、反射板１０２から光源の中心１０３Ｃまでの距離は３ｍｍとした。
導光板１０４Ｌ及び１０４Ｒは、直方体とし、光源１０３の中心１０３Ｃから、水平方向の離隔距離（矢印２１７Ｌ及び２１７Ｒ）２ｍｍの場所に、反射板１０２位置することとした。導光板の高さ（１０４Ｈ）は３ｍｍとした。導光板の幅は６ｍｍとし、それにより光源の中心１０３Ｃから導光板の側面１０４ＦＬ及び１０４ＦＲまでの距離（２１６Ｌ及び２１６Ｒ）は８ｍｍとした。
光源の中心１０３Ｃからの水平方向距離（２１５Ｌ及び２１５Ｒ）１５ｍｍの位置に、面２１２Ｌ及び面２１２Ｒを設け、これらは鏡面反射することとし、それにより２１２Ｌ〜２１２Ｒまでの間を繰り返し単位として複数本の線状光源を有する直下型バックライト装置と同等の結果を得ることとした。
拡散板１０１は厚さ２．０ｍｍとし、光入射面１０１Ａは平滑な面とし、光出射面は図４に示す半円状の断面を有するレンチキュラーレンズが並列に並んだ形状とした。レンチキュラーレンズのピッチ４２２は０．１ｍｍ、半径４２３は０．０５ｍｍとした。
プリズムシートは厚さ０．２ｍｍとし、光入射面は平滑な面とし、光出射面は頂角９０度のプリズム条列がピッチ０．１８ｍｍで並んだ構造とした。プリズム条列の延長方向は、線状光源１０３の長手方向と平行な方向とした。
算出結果を図７に示す。図７において、横軸は光源の中心直上からの、光源の長手方向に垂直な水平方向の距離を示し、縦軸は、各測定における光束発散度平均を１とした場合の光束発散度を示す。
【００４９】
＜比較例１＞
導光板１０４Ｌ及び１０４Ｒの高さを６ｍｍに変更した他は、実施例１と同様に、直下型バックライト装置についての光束発散度の分布図を算出した。結果を図７に示す。
【００５０】
＜比較例２＞
導光板を設けないこととした他は、実施例１と同様に、直下型バックライト装置についての光束発散度の分布図を算出した。結果を図７に示す。
【００５１】
図７の結果から明らかな通り、本発明の要件を満たす拡散板を有する実施例１では、光源直上から隣接光源との中間位置までの間において、均一な光束発散度を示すのに対し、導光板の高さが高いため境界面（Ｘ）より上側に達した比較例１では光源付近の光束発散度が低くなり、また導光板を設けない比較例２では光源から遠い部分の光束発散度が低下する。
【図面の簡単な説明】
【００５２】
【図１】本発明の第１の実施形態に係る直下型バックライト装置の概略を示す斜視図である。
【図２】第１の実施形態に係る直下型バックライト装置を、線状光源１０３の延長方向に垂直な面で切断した断面の一部を示す部分縦断面図である。
【図３】図２に示される断面の一部を拡大して示す部分縦断面図である。
【図４】図３における拡散板１０１の一部を拡大して示す部分縦断面図である。
【図５】本発明における導光板の別の例を示す斜視図である。
【図６】本発明における導光板のさらに別の例を示す斜視図である。
【図７】本願実施例及び比較例における光束発散度の測定結果を示すグラフである。
【符号の説明】
【００５３】
１０１  光拡散板
１０１Ａ  光拡散板光入射面
１０１Ｂ  光拡散板光出射面
１０２  反射板
１０３  線状光源
１０４  導光板
１０５  プリズムシート
【図１】
2010027454.tif 000003
【図２】
2010027454.tif 000004
【図３】
2010027454.tif 000005
【図４】
2010027454.tif 000006
【図５】
2010027454.tif 000007
【図６】
2010027454.tif 000008
【図７】
2010027454.tif 000009